(57)【要約】【課題】省スペースなスイッチ構造を提供する。【解決手段】スイッチ部材３０は、スイッチ部材３０がケース２０に取り付けられた状態において、ケース２０の側壁２の略法線方向に移動可能なボタン部３３と、ケース２０の側壁２に略直交方向に設けられたケース２０の底壁２８とケース２０の側壁２とのそれぞれに略平行方向における中心の位置が、当該略平行方向におけるボタン部３３の中心の位置からずれて、底壁２８に取り付けられる取付部３１と、を備える。【選択図】図３
2019083133.tif 000002
【特許請求の範囲】
【請求項１】
ケースに取り付けられるスイッチ部材であって、
前記スイッチ部材が前記ケースに取り付けられた状態において、前記ケースの側壁の略法線方向に移動可能なボタン部と、
前記ケースの前記側壁に略直交方向に設けられた前記ケースの底壁と前記ケースの前記側壁とのそれぞれに略平行方向における中心の位置が、当該略平行方向における前記ボタン部の中心の位置からずれて、前記底壁に取り付けられる取付部と、
を備えるスイッチ部材。
【請求項２】
スイッチ部材と、前記スイッチ部材を収容するケースの一部と、を備えるスイッチ構造であって、
前記スイッチ部材は、
前記スイッチ部材が前記ケースに取り付けられた状態において、前記ケースの側壁の略法線方向に移動可能なボタン部と、
前記ケースの前記側壁に略直交方向に設けられた前記ケースの底壁と前記ケースの前記側壁とのそれぞれに略平行方向における中心の位置が、当該略平行方向における前記ボタン部の中心の位置からずれて、前記底壁に取り付けられる取付部と、を備える、
スイッチ構造。  
【請求項３】
前記スイッチ部材の前記取付部は、前記ケースに配置された挟持部材に挟持されて前記ケースの前記底壁に取り付けられている、
請求項２に記載のスイッチ構造。
【請求項４】
前記スイッチ部材の前記取付部は、前記ケースの前記底壁に溶着され、
前記ケースは、前記底壁に平行な面内の前記スイッチ部材の回転を抑制する回転抑止部が設けられている、
請求項２に記載のスイッチ構造。
【請求項５】
前記ケースには基板が収容され、かつ、
前記スイッチ部材の前記取付部と前記ボタン部との間に介在する可動部は、前記基板の主面の法線方向から見て、前記基板に重ならない位置に配置されている、
請求項２から４のいずれか１項に記載のスイッチ構造。
【請求項６】
前記ケースには基板が収容され、かつ、
前記スイッチ部材の前記取付部は、前記基板の主面の法線方向から見て、前記基板に重なる位置か、又は、重ならない位置に配置されている、
請求項５に記載のスイッチ構造。
【請求項７】
前記スイッチ部材は、前記取付部と前記ボタン部との間に介在する可動部が前記側壁から離れるように移動することにより、前記ケースに収容された基板に設けられた回路の端部である接触部に接触する位置まで移動する接点部をさらに含む、
請求項２から６のいずれか１項に記載のスイッチ構造。
【請求項８】
前記スイッチ部材は、
当該スイッチ部材の前記取付部と前記ボタン部との間に介在する可動部の一端部に、前記ボタン部及び接点部が互いに反対側に設けられていて、
前記ボタン部及び前記接点部は、前記ケースの前記側壁の略法線方向からみて、各重心位置がずれて配置されている、
請求項２から７のいずれか１項に記載のスイッチ構造。
【請求項９】
前記スイッチ部材の前記取付部と前記ボタン部との間に介在する可動部は、初期位置に戻るように付勢されていて、
前記ボタン部は、前記可動部の前記初期位置において、前記ケースの前記側壁に設けられた孔内に挿入されている、
請求項２から８のいずれか１項に記載のスイッチ構造。
【請求項１０】
請求項２から９のいずれか１項に記載のスイッチ構造を備える電子機器。
【発明の詳細な説明】
【技術分野】
【０００１】
本発明は、スイッチ部材、スイッチ構造およびスイッチ構造を備える電子機器に関する。
【背景技術】
【０００２】
電子機器のスイッチ構造として、様々な機能と構造を有するものが知られている。例えば、特許文献１には、ラバースイッチにより構成されたリセットスイッチ構造が開示されている。特許文献１に開示されたスイッチ構造は、回路基板の主面に配置され、主面の法線方向から操作される。このため、筐体の基板主面と平行な面にスイッチ孔が形成され、このスイッチ孔にピンなどを挿入して、スイッチをオンする必要がある。
【先行技術文献】
【特許文献】
【０００３】
【特許文献１】実開平５−６１９３５号公報
【発明の概要】
【発明が解決しようとする課題】
【０００４】
特許文献１に開示されたスイッチ構造では、筐体の、回路基板に対向する面に、スイッチ孔を配置する必要がある。操作性を考慮すると、スイッチ孔の周囲には、操作の障害となる部材・デザインを採用できない。筐体の基板に対向する面は、通常、電子装置の表面又は裏面であり、このような構成では、筐体表面又は裏面のスイッチ孔近傍には、キースイッチ、表示装置、バッテリを配置することが困難となる。このように、特許文献１に記載のスイッチ構造では、装置全体の設計及びデザインが大きく制約されてしまう。
【課題を解決するための手段】
【０００５】
本発明に係るスイッチ部材は、
ケースに取り付けられるスイッチ部材であって、
前記スイッチ部材が前記ケースに取り付けられた状態において、前記ケースの側壁の略法線方向に移動可能なボタン部と、
前記ケースの前記側壁に略直交方向に設けられた前記ケースの底壁と前記ケースの前記側壁とのそれぞれに略平行方向における中心の位置が、当該略平行方向における前記ボタン部の中心の位置からずれて、前記底壁に取り付けられる取付部と、
を備える。
【図面の簡単な説明】
【０００６】
【図１】本発明の実施の形態に係るスイッチ構造を備える携帯用電子辞書の斜視図である。
【図２】（ａ）は、前ケースを省略した本発明の実施の形態に係るスイッチ構造の斜視図、（ｂ）は、前ケースおよび基板を省略した本発明の実施の形態に係るスイッチ構造の正面図である。
【図３】図２（ａ）に示すスイッチ構造の拡大斜視図である。
【図４】（ａ）は、図２（ｂ）のＩＶａ−ＩＶａ断面線で示したスイッチ構造の側面断面図、（ｂ）は、図２（ｂ）のＩＶｂ−ＩＶｂ断面線で示したスイッチ構造の側面断面図、（ｃ）は、図２（ｂ）のＩＶｃ−ＩＶｃ断面線で示したスイッチ構造の側面断面図である。
【図５】本発明の実施の形態に係るスイッチ部材の斜視図である。
【図６】比較例に係るスイッチ構造を備える携帯用電子機器の後ケースの斜視図である。
【発明を実施するための形態】
【０００７】
以下、本発明の実施形態に係るスイッチ構造を、該スイッチ構造を搭載した携帯用電子辞書を例に説明する。理解を容易にするため、図１に示すように、携帯用電子辞書１の長手方向をｚ軸方向、短手方向をｙ軸方向、厚さ方向をｘ軸方向とするｘｙｚ座標系を設定し、適宜参照する。
【０００８】
図１に示す携帯用電子辞書１は、携帯用電子辞書１の記憶部に記憶されたコンテンツや携帯用電子辞書１に挿入されたメモリカードに記憶されたコンテンツをユーザが視聴するための電子機器である。
【０００９】
本実施形態に係るスイッチ構造は、例えば、携帯用電子辞書１の側壁２に設けられたリセットスイッチ（スイッチ構造）３に適用される。ユーザは、必要に応じて、例えば、リセットスイッチ３をシャープペンシルの先端などで押して携帯用電子辞書１を工場出荷時の状態へ初期化させることができる。
【００１０】
携帯用電子辞書１は、ケース２０と、スイッチ部材３０と、を備える。リセットスイッチ３は、ケース２０の一部と、スイッチ部材３０と、を備える。
【００１１】
ケース２０は、例えば合成樹脂により形成され、前方に開口した箱状の後ケース２１と、後ケース２１を前方から閉じるように装着された平面状の前ケース２２と、を備える。
【００１２】
後ケース２１は、図２に示すように、底板（底壁）２８と、底板２８の縁部から起立する側壁２と、を有する。後ケース２１は、基板２３、スイッチ部材３０、図示しないバッテリ、カードスロット、音量キー、ヘッドホン端子やＵＳＢ（Universal Serial Bus）端子などを収容する。後ケース２１には、スイッチ部材３０を保持するために、ピン２４、フック２５、リブ（回転抑止部）２６などが一体成型されている。基板２３は、プリント配線基板等から構成され、主に主面Ｍに電子部品Ｐが配置されている。また、基板２３は、スイッチ部材３０と接触してリセット用の回路を形成する接触部Ｓを備える。スイッチ部材３０を基板２３の配置後に取り付けられるように、基板２３は、基板２３の主面Ｍの法線方向であるｘ軸方向視で、スイッチ部材３０の後述する取付部３１と重複しない位置に配置されている。
【００１３】
ピン２４は、略円柱状に形成され、スイッチ部材３０の後述する取付部３１のｙ軸方向及びｚ軸方向の位置を固定するために、取付部３１の後述する挿通孔３６に挿通される。ピン２４は、図３に示すように、後述するボタン孔２７近傍の底板２８に立設されている。
【００１４】
フック２５は、スイッチ部材３０の後述する接続部３５の位置を固定するために設けられた鈎状の部材である。フック２５は、側壁２に近傍接の底板２８に立設されている。フック２５は、底板２８から起立する略四角柱状の基部２５ａと、基部２５ａから底板２８に平行にｙ軸方向（後述するリブ２６が設けられている方向）に延設されたｙｚ平面視略台形状の鈎部２５ｂと、を有する。フック２５は、後述するリブ２６と対向して配置されている。フック２５の基部２５ａとリブ２６とでスイッチ部材３０の後述する接続部３５を挟持する。さらに、挟持された接続部３５を鈎部２５ｂで上方から押さえることにより、スイッチ部材３０の接続部３５がｘ軸方向に動かないように固定している。
【００１５】
リブ２６は、スイッチ部材３０の接続部３５が、ｙｚ平面上で回転することを防止するために設けられた略四角柱状の回転止めのための部材である。リブ２６は、フック２５に対向するように、また、スイッチ部材３０の接続部３５の接触部Ｓが配置されている側に接するように、後ケース２１の底板２８に設けられている。リブ２６がスイッチ部材３０の接続部３５の側面に当接するように設けられているので、スイッチ部材３０に＋ｙ軸方向の力が加えられたときに接続部３５がｙｚ平面上で回転することを防止することができる。フック２５とリブ２６とで接続部３５を挟持するので、フック２５とリブ２６とをまとめて挟持部材と呼ぶ。
【００１６】
後ケース２１は、図４（ｃ）に示すように、スイッチ部材３０の後述するボタン部３３を挿入するためのボタン孔２７を備える。ボタン孔２７は、フック２５の近くの側壁２に、基板２３の接触部Ｓに対向するように設けられている。後ケース２１は、前ケース２２を係止するための固定部材２９，２９，…を備える。固定部材２９は、後ケース２１の側壁２内側の前端部付近に配置されている。
【００１７】
前ケース２２は、図１に示すように、表示部４１と、キー４２，４３，４４とを備える。表示部４１は、マトリックス状に複数の画素が形成されている液晶表示パネル（ＬＣＤ：Liquid Crystal Display）から構成された表示画面と、ＬＥＤ（Light Emitting Diode）から構成されたバックライトとから構成される。表示部４１は、携帯用電子辞書１の記憶部に内蔵されているコンテンツ、携帯用電子辞書１に挿入された着脱可能なメモリカードに保存されているコンテンツやＵＳＢケーブルを介して外部機器から取得したコンテンツ等を表示する。キー４２，４３，４４は、表示部４１に表示するコンテンツを選択したり、再生する視聴データを選択するために設けられている。
【００１８】
スイッチ部材３０は、例えば合成樹脂により形成され、図５に拡大して示すように、取付部３１と、可動部３２と、ボタン部３３と、接点部３４と、接続部３５とを備える。
【００１９】
取付部３１は、略矩形の板状体である。取付部３１は、図３、図４（ａ）および図５に示すように、ピン２４を挿通させる挿通孔３６を有する。挿通孔３６にピン２４を挿通させることで、取付部３１が移動しないように固定する。
【００２０】
接続部３５は、図５に示すように、矩形の板状体をｙｚ平面視で略逆Ｔ字状に組み合わせた形状である。接続部３５が略逆Ｔ字状に形成されていることにより、取付部３１のｘ軸方向の厚さを薄くしピン２４のｘ軸方向の長さを短くしつつ、可動部３２のｘ軸方向の厚さを確保して可動部３２の曲げ強度を確保できる。接続部３５は、一方の面の端部が取付部３１に接続され、他方の面に可動部３２が接続されている。接続部３５の、可動部３２が接続されている部分には、凹部（溝部）３７が形成されている。接続部３５は、可動部３２に接続されている部分をフック２５、リブ２６に挟持されている。
【００２１】
可動部３２は、ｘｚ平面視で略Ｌ字状の部材である。可動部３２は、接続部３５に接続されているアーム部３２ａと、ボタン部３３及び接点部３４が配置されている基部３２ｂとを有する。可動部３２は、ボタン孔２７側の面の上端部付近にボタン部３３を有する。ボタン部３３は、図４（ｃ）に示すように、ボタン孔２７に挿入されている。ボタン部３３の重心位置は、ｙ軸方向視で、ボタン孔２７内に位置している。これにより、ユーザは、ボタン部３３を押しやすい。可動部３２は、ボタン部３３の背面側に接点部３４を有する。可動部３２は、取付部３１と取付部３１の＋ｘ軸方向かつ＋ｚ軸方向にある接点部３４とを結ぶように形成されている。ボタン部３３をピンなどでユーザに押されると、凹部３７が弾性変形し、可動部３２は、凹部３７を支点にして、ｙｚ平面上で基板２３の主面に略平行方向に時計回りに回動する。これにより、可動部３２の接点部３４は、図３に示す距離Ｌを移動して基板２３の接触部Ｓに接する。その後、ユーザがボタン部３３を押すのを止めると、可動部３２は、凹部３７の自身の弾性による付勢力により、距離Ｌを逆方向に移動してもとの位置（初期位置）に戻り、ボタン部３３はボタン孔２７に挿入された状態に戻る。この初期位置において、可動部３２は、スイッチ部材３０がケース２０に取り付けられた状態において、当該可動部３２の取付部３１側の一端部から当該可動部３２のボタン部３３側の他端部へかけて側壁２へ近づくように配置される。
【００２２】
可動部３２は、ボタン部３３側の端部である基部３２ｂが、ボタン部３３及び接点部３４の主面の法線方向から見た大きさが、ボタン部３３及び接点部３４の当該法線方向から見た大きさよりも大きく形成されているので、ボタン部３３と接点部３４とのそれぞれの重心位置がｘ軸方向にずれた配置にすることができる。これによって、ボタン部３３が挿入されるボタン孔２７はケース２０のｘ軸方向の中央部分に配置させることで、ユーザがボタン部３３を押しやすくしながら、ケース２０内においては、基板２３に設けられた接触部Ｓのｘ軸方向の位置と、接点部３４のｘ軸方向の位置とが合うように、接点部３４を形成することができ、設計の自由度が高められる。
【００２３】
ボタン部３３と接点部３４とは、それぞれ略円柱状の部材であり、ｘ軸方向に互いの円の重心位置がずれている。接点部３４のｘ軸方向の位置は、基板２３の接触部Ｓに接点部３４が接するように決定される。ボタン部３３のｘ軸方向の位置は、後ケース２１の側壁２のｘ軸方向の中央に設定されている。
【００２４】
ユーザがボタン部３３を押すことにより、接点部３４が基板２３の接触部Ｓに接触して携帯用電子辞書１のリセット回路が形成され、携帯用電子辞書１のＣＰＵ（Central Processing Unit）がリセットされる。
【００２５】
図６は、比較例に係るスイッチ構造３Ａを備える携帯用電子機器１Ａの後ケース２１Ａの斜視図である。このスイッチ構造３Ａのスイッチ部材３０Ａは、スイッチ部材３０Ａが後ケース２１Ａに取り付けられた状態において、後ケース２１Ａの側壁２Ａの略法線方向に移動可能なボタン部３３Ａと、後ケース２１Ａの側壁２Ａに略直交方向に設けられた後ケース２１Ａの底壁２８Ａと後ケース２１Ａの側壁２Ａとのそれぞれに略平行方向における中心の位置が、当該略平行方向におけるボタン部３３Ａの中心の位置と一致するように、底壁２８Ａに取り付けられる取付部３１Ａと、を備える。つまり、上記の略平行方向に直交方向から見たときに、ボタン部３３Ａ及び取付部３１Ａはそれぞれが所定の幅を有し、略左右対称に設けられており、各中心位置が当該略平行方向において同じ位置にある（図６参照）。また、比較例に係るスイッチ構造３Ａのスイッチ部材３０Ａは、ボタン部３３Ａ及び取付部３１Ａが設けられる各領域を、上記の略平行方向に直交方向から当該略平行方向の軸上へ投影したときに、各領域が互いに重なっているとも言える。
【００２６】
この比較例に係るスイッチ構造３Ａにおいて、可動部３２Ａは、所望の弾性復元力を確保するため、比較的長く形成する必要があるので、後ケース２１Ａの隅部に、デッドスペースができてしまう。また、後ケース２１Ａ内においてボタン部３３Ａに対向する領域に基板２３Ａを配置した場合、基板２３Ａと可動部３２Ａとの間にクリアランスを設ける必要があるので、基板２３Ａと側壁２Ａとの間隔や基板２３Ａと底壁２８Ａとの間隔を十分広く確保する必要があり、結果的に、携帯用電子機器１Ａの小型化を妨げる一因となる可能性がある。
【００２７】
一方、上述した実施形態のリセットスイッチ（スイッチ構造）３のスイッチ部材３０は、スイッチ部材３０がケース２０に取り付けられた状態において、ケース２０の側壁２の略法線方向に移動可能なボタン部３３と、ケース２０の側壁２に略直交方向（ｚ軸方向）に設けられたケース２０の底壁２８とケース２０の側壁２とのそれぞれに略平行方向における中心の位置が、当該略平行方向におけるボタン部３３の中心の位置からずれて、底壁２８に取り付けられる取付部３１と、を備える。つまり、上記の略平行方向に直交方向から見たときに、ボタン部３３及び取付部３１はそれぞれが所定の幅を有し、略左右対称には設けられておらず、各中心位置が当該略平行方向において互いに異なる、ずれた位置にある（図２（ｂ）、図４等参照）。また、上述の実施形態のリセットスイッチ３のスイッチ部材は、ボタン部３３及び取付部３１が設けられる各領域を、上記の略平行方向に直交方向から当該略平行方向の軸上へ投影したときに、各領域が互いに重なっていないとも言える。
【００２８】
上述のリセットスイッチ（スイッチ構造）３は、上述の比較例に係るスイッチ構造３Ａに比べると、可動部３２を側壁２に沿うようにケース２０に取り付けることができるので、ケース２０内においてボタン部３３に対向する領域に基板２３を配置した場合でも、ケース２０の側壁２と基板２３の側面との間に延在する隙間に、その延在方向に沿うように、可動部３２を配置させることができる。このように、基板２３と底壁２８との間には可動部３２が配置されないので、上述の比較例と比べて、基板２３と底壁２８との間の距離をより短くすることができ、ひいては、携帯用電子機器１をより一層小型化することができる。
【００２９】
また、上述のリセットスイッチ（スイッチ構造）３は、ピン２４、フック２５及びリブ２６により、スイッチ部材３０の移動を抑制しているので、溶着が不要である。溶着を行う場合には、基板２３やその電子部品への熱の影響が懸念されるため、基板２３をケース２０へ取り付ける前に、溶着によって、スイッチ部材３０をケース２０へ取り付ける必要がある。しかしながら、溶着を行わない場合は、溶着時の熱による悪影響を考慮する必要がないので、スイッチ部材３０と基板２３とのどちらを先にケース２０へ取り付けてもよいので、製造工程上の自由度も高められる。
【００３０】
（変形例１）
上述の実施形態のスイッチ構造は、取付部３１をリブ２６とフック２５によりスイッチ部材３０の移動を抑制したが、取付部３１を底板２８に溶着してもよい。空きスペースに取付部３１の溶着スペースを確保できれば、溶着によりスイッチ部材３０の移動を抑制できるので、フック２５を省略することができ、別途溶着スペースを増やす必要もないので、さらに省スペースなスイッチ構造が実現できる。
【００３１】
（変形例２）
また、上述の実施形態のスイッチ構造は、リセットスイッチ３に適用したが、携帯電話などに使用される横長の音量キー等に適用することもできる。この場合、ボタン部をボタン孔からケース外方へ突出するように形成し、かつ、可動部の基部とアーム部との間に凹部をもう一つ設け、かつ、ケースの側壁及び底壁に略平行方向に基部、ボタン部及び接点部を細長く延在させ、かつ、ボタン部及び接点部を基部にもう一つずつ設けるようにすればよい。音量キーは、通常、携帯電話などのケースの側壁に両端部を溶着されるので、音量キーの長さとその両端の溶着代の長さ分だけケース（側壁）が大型化してしまう。しかし、この変形例１のスイッチ構造であれば、少なくとも音量キーの一側方の溶着代の長さ分、ケース（側壁）を小型化することができ、また、少なくとも１ヶ所の溶着コストを削減できる。
【００３２】
以上、本発明の実施の形態を説明したが、本発明の範囲は上述の実施の形態に限定するものではなく、特許請求の範囲に記載された発明の範囲とその均等の範囲を含む。
【００３３】
本実施形態では、可動部３２に凹部３７を設けていたが、可動部３２に凹部を設けずに可動部３２の一部等がゴム等の弾性材料であってもよい。
【００３４】
また、本実施形態では、スイッチ構造は、電子辞書に使用されていたが、電子辞書に限られず、ノートパソコン、携帯電話、リモコン、ＩＣ（Integrated Circuit）レコーダ、マウス、腕時計等に使用されていてもよい。
【００３５】
本実施形態では、ボタン部３３と接点部３４とのそれぞれの重心位置がｘ軸方向にずれた配置となっていたが、ｘ軸方向にずれていなくてもよい。
【００３６】
本実施形態では、リセットスイッチとしてスイッチを使用したが、ボタン孔２７からボタン部が突出した通常のスイッチであってもよい。
【００３７】
また、本実施形態では、フック２５は、底板２８に配置されていたが、側壁２から延設されていてもよいし、底板２８と側壁２とに渡って配置されていてもよい。取付部３１も同様である。外面の設計等に合わせて決定するとよい。
【００３８】
本実施形態では、基板２３は、基板２３の主面Ｍの法線方向であるｙｚ平面視で、スイッチ部材３０の取付部３１と重複しない位置に配置されていたが、スイッチ部材３０を基板２３の配置前に後ケース２１に取り付ける場合、基板２３は、ｙｚ平面視で、スイッチ部材３０の取付部３１と重複する位置に配置されていてもよい。このとき、基板２３の取付部３１と重複する部分には、電子部品が取り付けられていない、或いは、基板２３の他の部分に取り付けられている電子部品よりもｘ軸方向の長さの短いものであることが好ましい。これにより、携帯用電子辞書１の厚さが増加することなく、スイッチ部材３０の配置スペースをさらに小さくできる。
【００３９】
以下に、この出願の願書に最初に添付した特許請求の範囲に記載した発明を付記する。付記の番号は、この出願の願書に最初に添付した特許請求の範囲の通りである。
【００４０】
（付記）
（付記１）
ケースに取り付けられるスイッチ部材であって、
前記スイッチ部材が前記ケースに取り付けられた状態において、前記ケースの側壁の略法線方向に移動可能なボタン部と、
前記ケースの前記側壁に略直交方向に設けられた前記ケースの底壁と前記ケースの前記側壁とのそれぞれに略平行方向における中心の位置が、当該略平行方向における前記ボタン部の中心の位置からずれて、前記底壁に取り付けられる取付部と、
を備えるスイッチ部材。
【００４１】
（付記２）
スイッチ部材と、前記スイッチ部材を収容するケースの一部と、を備えるスイッチ構造であって、
前記スイッチ部材は、
前記スイッチ部材が前記ケースに取り付けられた状態において、前記ケースの側壁の略法線方向に移動可能なボタン部と、
前記ケースの前記側壁に略直交方向に設けられた前記ケースの底壁と前記ケースの前記側壁とのそれぞれに略平行方向における中心の位置が、当該略平行方向における前記ボタン部の中心の位置からずれて、前記底壁に取り付けられる取付部と、を備える、
スイッチ構造。
【００４２】
（付記３）
前記スイッチ部材の前記取付部は、前記ケースに配置された挟持部材に挟持されて前記ケースの前記底壁に取り付けられている、
付記２に記載のスイッチ構造。
【００４３】
（付記４）
前記スイッチ部材の前記取付部は、前記ケースの前記底壁に溶着され、
前記ケースは、前記底壁に平行な面内の前記スイッチ部材の回転を抑制する回転抑止部が設けられている、
付記２に記載のスイッチ構造。
【００４４】
（付記５）
前記ケースには基板が収容され、かつ、
前記スイッチ部材の前記取付部と前記ボタン部との間に介在する可動部は、前記基板の主面の法線方向から見て、前記基板に重ならない位置に配置されている、
付記２から４のいずれか１つに記載のスイッチ構造。
【００４５】
（付記６）
前記ケースには基板が収容され、かつ、
前記スイッチ部材の前記取付部は、前記基板の主面の法線方向から見て、前記基板に重なる位置か、又は、重ならない位置に配置されている、
付記５に記載のスイッチ構造。
【００４６】
（付記７）
前記スイッチ部材は、前記取付部と前記ボタン部との間に介在する可動部が前記側壁から離れるように移動することにより、前記ケースに収容された基板に設けられた回路の端部である接触部に接触する位置まで移動する接点部をさらに含む、
付記２から６のいずれか１つに記載のスイッチ構造。
【００４７】
（付記８）
前記スイッチ部材は、
当該スイッチ部材の前記取付部と前記ボタン部との間に介在する可動部の一端部に、前記ボタン部及び接点部が互いに反対側に設けられていて、
前記ボタン部及び前記接点部は、前記ケースの前記側壁の略法線方向からみて、各重心位置がずれて配置されている、
付記２から７のいずれか１つに記載のスイッチ構造。
【００４８】
（付記９）
前記スイッチ部材の前記取付部と前記ボタン部との間に介在する可動部は、初期位置に戻るように付勢されていて、
前記ボタン部は、前記可動部の前記初期位置において、前記ケースの前記側壁に設けられた孔内に挿入されている、
付記２から８のいずれか１つに記載のスイッチ構造。
【００４９】
（付記１０）
付記２から９のいずれか１つに記載のスイッチ構造を備える電子機器。
【符号の説明】
【００５０】
１，１Ａ…携帯用電子辞書、２，２Ａ…側壁、３…リセットスイッチ、３Ａ…スイッチ構造、１０…スイッチ構造、２０…ケース、２１、２１Ａ…後ケース、２２…前ケース、２３，２３Ａ…基板、２４…ピン、２５…フック、２５ａ…基部、２５ｂ…鈎部、２６…リブ、２７…ボタン孔、２８，２８Ａ…底板（底壁）、２９…固定部材、３０，３０Ａ…スイッチ部材、３１，３１Ａ…取付部、３２，３２Ａ…可動部、３２ａ…アーム部、３２ｂ…基部、３３，３３Ａ…ボタン部、３４…接点部、３５…接続部、３６…挿通孔、３７…凹部、４１…表示部、４２，４３，４４…キー
【図１】
2019083133.tif 000003
【図２】
2019083133.tif 000004
【図３】
2019083133.tif 000005
【図４】
2019083133.tif 000006
【図５】
2019083133.tif 000007
【図６】
2019083133.tif 000008